(57)【特許請求の範囲】
【請求項１】
変換器回路が、
多数の制御可能な電力用半導体スイッチを備えた変換器ユニット（２）であって、変圧器を介して、電気の三相ＡＣ電圧電源システム（１）に接続されている変換器ユニット（２）を有していて、
前記制御可能な電力用半導体スイッチが、調整信号（ＳＲ）から生成される制御信号（ＳＡ）によって制御される、
変換器回路の動作方法であって、
低域フィルタの特性を使用して、電源システム電流（ｉＧ）をフィルタにかけることによって、フィルタにかけられた電源システム電流（ｉＧＴＰ）を生成するステップであって、前記電源システム電流（ｉＧ）をフィルタにかけることが、電源システム電圧（ｕＧ）の基本周波数で回転するシステムを使用して実行されるステップと、
低域フィルタの特性を使用して、前記電源システム電流（ｉＧ）から生成される変圧器インダクタンス電圧（ｕＬＴ）をフィルタにかけることによって、フィルタにかけられた変圧器インダクタンス電圧（ｕＬＴＴＰ）を生成するステップであって、前記変圧器インダクタンス電圧（ｕＬＴ）をフィルタにかけることが、前記電源システム電圧（ｕＧ）の前記基本周波数で回転するシステムを使用して実行されるステップと、
低域フィルタの特性を使用して、前記電源システム電圧（ｕＧ）をフィルタにかけることによって、フィルタにかけられた電源システム電圧（ｕＧＴＰ）を生成するステップであって、前記電源システム電圧（ｕＧ）をフィルタにかけることが、前記電源システム電圧（ｕＧ）の前記基本周波数で回転するシステムを使用して実行されるステップと、
前記フィルタにかけられた電源システム電流（ｉＧＴＰ）を、電源システム電流の公称値（ｉＧｒｅｆ）で調整することによって、調整器電圧（ｕＲ）を生成して、前記調整器電圧（ｕＲ）と、前記フィルタにかけられた変圧器インダクタンス電圧（ｕＬＴＴＰ）と、前記フィルタにかけられた電源システム電圧（ｕＧＴＰ）とを加算することによって、前記調整信号（ＳＲ）を生成するステップと、
を特徴とする、方法。
【請求項２】
前記電源システム電流（ｉＧ）と変圧器のインダクタンス(ＬＴ)とから、前記変圧器インダクタンス電圧（ｕＬＴ）を計算することを特徴とする、請求項１に記載の方法。
【請求項３】
前記フィルタにかけるプロセスは、それぞれ、低域フィルタの特性を使用して、二次フィルタを用いて実行されることを特徴とする、請求項１又は２に記載の方法。
【請求項４】
前記変換器ユニット（２）の入力インピーダンス(Ｚ)が、電気エネルギを消費する電気負荷のインピーダンスに対応するように、低域フィルタの特性を使用した前記フィルタにかけるプロセスの伝達関数を選択することを特徴とする、請求項１乃至３の何れか１項に記載の方法。
【請求項５】
比例積分特性を使用して、前記フィルタにかけられた電源システム電流（ｉＧＴＰ）を、電源システム電流の公称値（ｉＧｒｅｆ）で調整することを特徴とする、請求項１乃至４の何れか１項に記載の方法。
【請求項６】
速示特性を使用して、前記フィルタにかけられた電源システム電流（ｉＧＴＰ）を、前記電源システム電流の公称値（ｉＧｒｅｆ）で繰り返し調整することを特徴とする、請求項１乃至４の何れか１項に記載の方法。
【請求項７】
変換器回路が、
多数の制御可能な電力用半導体スイッチを備えた変換器ユニット（２）であって、変圧器を介して、電気の三相ＡＣ電圧電源システム（１）に接続されている変換器ユニット（２）と、
調整信号（ＳＲ）を生成するために使用される調整装置（４）であって、制御信号（ＳＡ）を生成する制御回路（３）を介して、前記制御可能な電力用半導体スイッチに接続されている調整装置（４）と、を有している、
変換器回路の動作方法を実行する装置であって、
前記調整装置（４）が、
低域フィルタの特性を使用して、電源システム電流（ｉＧ）をフィルタにかけることによって、フィルタにかけられた電源システム電流（ｉＧＴＰ）を生成する第１のフィルタ（６）を有していて、前記第１のフィルタ（６）において、前記電源システム電流（ｉＧ）をフィルタにかけることが、電源システム電圧（ｕＧ）の基本周波数で回転するシステムを使用して実行され、
前記調整装置（４）が、
低域フィルタの特性を使用して、前記電源システム電流（ｉＧ）から生成された変圧器インダクタンス電圧（ｕＬＴ）をフィルタにかけることによって、フィルタにかけられた変圧器インダクタンス電圧（ｕＬＴＴＰ）を生成する第２のフィルタ（７）を有していて、前記第２のフィルタ（７）において、前記変圧器インダクタンス電圧（ｕＬＴ）をフィルタにかけることが、前記電源システム電圧（ｕＧ）の前記基本周波数で回転するシステムを使用して実行され、
前記調整装置（４）が、
低域フィルタの特性を使用して、前記電源システム電圧（ｕＧ）をフィルタにかけることによって、フィルタにかけられた電源システム電圧（ｕＧＴＰ）を生成する第３のフィルタ（８）を有していて、前記第３のフィルタ（８）において、前記電源システム電圧（ｕＧ）をフィルタにかけることが、前記電源システム電圧（ｕＧ）の前記基本周波数で回転するシステムを使用して実行され、
前記調整装置（４）が、
前記フィルタにかけられた電源システム電流（ｉＧＴＰ）を、前記電源システム電流の公称値（ｉＧｒｅｆ）で調整することによって、調整器電圧（ｕＲ）を生成する調整器ユニット（５）を有していて、
前記調整装置（４）が、
前記調整器電圧（ｕＲ）と、前記フィルタにかけられた変圧器インダクタンス電圧（ｕＬＴＴＰ）と、前記フィルタにかけられた電源システム電圧（ｕＧＴＰ）とを加算することによって、前記調整信号（ＳＲ）を生成する加算ユニット（９）を有している、
ことを特徴とする、装置。
【請求項８】
前記調整装置（４）が、
前記電源システム電流（ｉＧ）と変圧器のインダクタンス(ＬＴ)とから、前記変圧器インダクタンス電圧（ｕＬＴ）を計算する計算ユニット（１０）を有することを特徴とする、請求項７に記載の装置。
【請求項９】
前記第１のフィルタ（６）と、前記第２のフィルタ（７）と、前記第３のフィルタ（８）が、それぞれ、二次低域フィルタであることを特徴とする、請求項７又は８に記載の装置。
【請求項１０】
前記変換器ユニット（２）の入力インピーダンス(Ｚ)が、電気エネルギを消費する電気負荷のインピーダンスに対応するように、前記第１のフィルタ（６）と、前記第２のフィルタ（７）と、前記第３のフィルタ（８）の伝達関数を選択することを特徴とする、請求項７乃至９の何れか１項に記載の装置。
【請求項１１】
前記調整器ユニット（５）は、比例積分特性を使用して、前記フィルタにかけられた電源システム電流（ｉＧＴＰ）を、前記電源システム電流の公称値（ｉＧｒｅｆ）で調整することを特徴とする、請求項７乃至１０の何れか１項に記載の装置。
【請求項１２】
前記調整器ユニット（５）は、速示特性を使用して、前記フィルタにかけられた電源システム電流（ｉＧＴＰ）を、前記電源システム電流の公称値（ｉＧｒｅｆ）で繰り返し調整することを特徴とする、請求項７乃至１０の何れか１項に記載の装置。
【発明の詳細な説明】
【技術分野】
【０００１】
本発明は、パワーエレクトロニクスの分野に関し、独立請求項のプリアンブルの記載によると、変換器回路の動作方法と、その方法を実行する装置とに基づいている。
【背景技術】
【０００２】
従来の変換器回路は、多数の制御可能な電力用半導体スイッチを具備している。多数の制御可能な電力用半導体スイッチは、少なくとも２つの切り換え電圧レベルを切り換えるために、既知のやり方で切り換えられる。一般に、このような変換器回路は、電気のＡＣ電圧電源システムに接続されている。電気のＡＣ電圧電源システムは、特に、三相電源システムの形態をとっている。このような変換器回路は、産業設備でしばしば使用されている。一般に、変換器回路は、変圧器を介して、電源システムに接続されている。風力発電設備のような、更なる利用分野と利用の選択も、当然に可能である。
【０００３】
図１は、変換器回路の動作装置を示しており、最初に先行技術に従って記載する。この装置において、変換器回路は、多数の制御可能な電力用半導体スイッチを備えた変換器ユニット２を有している。変換器ユニットは、変圧器を介して、電気の三相ＡＣ電圧電源システム１に接続されている。なお、分かり易くするために、図１には、三相電源システム電圧と、三相電源システム電流と、三相変圧器インダクタンス電圧とを有する電気の三相ＡＣ電圧電源システム１を、単相電源システム電圧ｕＧと、単相電源システム電流ｉＧと、単相変圧器インダクタンス電圧ｕＬＴとを有する単相等価回路として示している。図１に示されているように、変換器回路の動作装置は、調整装置(regulating apparatus)４を有している。調整装置４は、調整信号ＳＲを生成するために使用される。調整装置４は、制御信号ＳＡを生成する制御回路３を介して、制御可能な電力用半導体スイッチに接続されている。更に、図２は、先行技術に従って調整装置４を示している。図２に示されているように、調整装置４は、加算ユニット９を具備している。加算ユニット９は、調整器電圧ｕＲと、電源システム電流ｉＧから生成される変圧器インダクタンス電圧ｕＬＴと、電源システム電圧ｕＧとを加算することによって、調整信号ＳＲを生成する。変圧器インダクタンス電圧ｕＬＴは、電源システム電流ｉＧと変圧器のインダクタンスＬＴとから、計算ユニット１０によって生成される。調整装置４は、調整器ユニット（regulator unit）５を有している。調整器ユニット５は、電源システム電流ｉＧを、電源システム電流の公称値ｉＧｒｅｆで調整することによって、調整器電圧ｕＲを生成する。
【０００４】
上述の変換器回路の動作装置と、それに関連する方法が、電源システム電流ｉＧを調整できるのは確かであるが、電気のＡＣ電圧電源システム１における電源システム電圧ｕＧに、基本周波数よりも高い振動が発生する場合がある。この振動は、非常に望ましくない。上述の変換器回路の動作装置と、それに関連する方法とによって、この振動を減衰させること、従って、低減させることはできない。特に、電源システムが共振点を少し減衰させたときに、このような振動が発生する。図３は、先行技術に従って、このような、振動を有する電源システム電圧ｕＧのプロファイルを示している。
【発明の概要】
【０００５】
従って、本発明の１つの目的は、変換器回路の動作方法であって、変換器回路に接続された電気のＡＣ電圧電源システムの基本周波数よりも高い、電源システム電圧における望ましくない振動を減衰又は低減させることができる、変換器回路の動作方法を特定することである。本発明の別の目的は、特に簡単なやり方で当該方法を実行できる装置を特定することである。
【０００６】
これらの目的は、それぞれ、請求項１と請求項７の特徴によって達成される。本発明の有益な展開は、従属請求項において特定されている。
【０００７】
変換器回路は、多数の制御可能な電力用半導体スイッチを備えた変換器ユニットであって、変圧器を介して、電気の三相ＡＣ電圧電源システムに接続されている変換器ユニットを有している。本発明に一致した変換器回路の動作方法において、調整信号から生成される制御信号によって、制御可能な電力用半導体スイッチを制御する。本発明によると、最初に、低域フィルタの特性を使用して、電源システム電流をフィルタにかけることによって、フィルタにかけられた電源システム電流を生成し、低域フィルタの特性を使用して、電源システム電流から生成される変圧器インダクタンス電圧をフィルタにかけることによって、フィルタにかけられた変圧器インダクタンス電圧を生成し、低域フィルタの特性を使用して、電源システム電圧をフィルタにかけることによって、フィルタにかけられた電源システム電圧を生成する。更に、フィルタにかけられた電源システム電流を、電源システム電流の公称値で調整することによって、調整器電圧を生成して、調整器電圧と、フィルタにかけられた変圧器インダクタンス電圧と、フィルタにかけられた電源システム電圧とを加算することによって、調整信号を生成する。これらの手段によって、基本周波数よりも高い電源システム電圧における振動を減衰させ、従って、効果的に低減させる。特に、電源システム電圧の基本周波数で回転するシステムにおいて、低域フィルタの特性を使用して、上述のフィルタにかけるプロセスを行なうと、このシステムにおいて、電源システム電圧の基本振動が、一定の成分として現われる。その結果、本発明に従って当該方法を用いると、低域フィルタの特性を使用してフィルタにかけるプロセスによって、都合の良いことに、電源システム電圧の基本周波数は影響を受けないが、都合の良いことに、基本周波数よりも高い電源システム電圧における振動のみが減衰し、従って、効果的に低減する。更に、電源システム電圧の基本周波数における振動を同様に含んでいる電源システム電流を、低域フィルタの特性を使用してフィルタにかける。次に、フィルタにかけられた電源システム電流を、電源システム電流の公称値で調整する。電源システム電流の公称値は、電源システム電圧の基本周波数のみを含んでいることが好ましい。この調整は、電源システム電圧の基本周波数よりも高い振動が、調整に対して悪い影響を及ぼすことなく、既にフィルタにかけられた電源システム電流のみを、この電源システム電流の公称値で調整するはずである。フィルタにかけられた変圧器インダクタンス電圧と、フィルタにかけられた電源システム電圧とを、調整器電圧に加えることは、フィルタにかけられた電源システム電流を、電源システム電流の公称値で調整することに対する、パイロット制御を表わし、従って、都合の良いことに、調整における負荷を大幅に低減できる。
【０００８】
本発明に従って変換器回路の動作方法を実行する装置は、調整装置を有している。調整装置は、調整信号を生成するために使用され、制御信号を生成する制御回路を介して、制御可能な電力用半導体スイッチに接続されている。本発明によると、調整装置は、低域フィルタの特性を使用して、電源システム電流をフィルタにかけることによって、フィルタにかけられた電源システム電流を生成する第１のフィルタと、低域フィルタの特性を使用して、電源システム電流から生成される変圧器インダクタンス電圧をフィルタにかけることによって、フィルタにかけられた変圧器インダクタンス電圧を生成する第２のフィルタと、低域フィルタの特性を使用して、電源システム電圧をフィルタにかけることによって、フィルタにかけられた電源システム電圧を生成する第３のフィルタと、を有している。更に、調整装置は、フィルタにかけられた電源システム電流を、電源システム電流の公称値で調整することによって、調整器電圧を生成する調整器ユニットを有しており、調整装置は、調整器電圧と、フィルタにかけられた変圧器インダクタンス電圧と、フィルタにかけられた電源システム電圧とを加算することによって、調整信号を生成する加算ユニットを有している。従って、変換器回路の複雑さを非常に低くしておくことができ、更に、少数のコンポーネントのみが構成に必要であるので、本発明に従って変換器回路の動作方法を実行する装置は、非常に容易に、低コストで実施できる。従って、本発明に一致した方法は、この装置によって非常に容易に実行できる。
【０００９】
本発明のこれらの及び更なる目的と、利点と、特徴は、図面に関連する本発明の好ましい実施形態の後述の詳細な説明から、明らかになるであろう。
【図面の簡単な説明】
【００１０】
【図１】先行技術に従って変換器回路の動作方法を実行する装置の１つの実施形態を示している。
【図２】図１に示されている先行技術に従って方法を実行する装置のための調整装置の１つの実施形態を示している。
【図３】電気の三相ＡＣ電圧電源システムの電源システム電圧の通常の時間プロファイルを示している。
【図４】本発明に従って変換器回路の動作方法を実行する装置のための調整装置の本発明に一致した１つの実施形態を示している。
【図５】本発明に従って変換器回路の動作方法を使用した、電気の三相ＡＣ電圧電源システムの電源システム電圧の時間プロファイルを示している。
【図６】本発明に一致した変換器回路の動作方法に使用される変換器回路における変換器ユニットの入力インピーダンスＺの範囲を示している。
【発明を実施するための形態】
【００１１】
図面において使用されている参照符号と、それらの意味とを、参照符号のリストにおいて、まとめて記載した。原則として、図面において、同じ部分には、同じ参照符号が提供されている。記載されている実施形態は、本発明の内容を例示したものであって、限定する効果はない。
【００１２】
本発明の実施に対するアプローチ
既に最初に記載したように、図１は、先行技術に従って変換器回路の動作方法を実行する装置の１つの実施形態を示している。図１に示されているように、変換器回路は、多数の制御可能な電力用半導体スイッチを備えた変換器ユニット２であって、変圧器を介して、電気の三相ＡＣ電圧電源システム１に接続されている変換器ユニット２を有している。なお、通常、変換器ユニット２は、ＤＣ電圧の２つ以上の切り換えレベルを切り換える任意の変換器ユニット２(マルチレベル変換器回路)の形態をとり得る。分かり易くするために、図１には、三相電源システム電圧と、三相電源システム電流と、三相変圧器インダクタンス電圧とを有する電気の三相ＡＣ電圧電源システム１を、単相電源システム電圧ｕＧと、単相電源システム電流ｉＧと、単相変圧器インダクタンス電圧ｕＬＴとを有する単相等価回路をとして示している。
【００１３】
本発明に一致した変換器回路の動作方法において、制御可能な電力用半導体スイッチは、制御信号ＳＡによって制御される。制御信号ＳＡは、調整信号ＳＲから生成される。本発明によると、低域フィルタの特性を使用して、電源システム電流ｉＧをフィルタにかけることによって、フィルタにかけられた電源システム電流ｉＧＴＰを生成し、低域フィルタの特性を使用して、電源システム電流ｉＧから生成される変圧器インダクタンス電圧ｕＬＴをフィルタにかけることによって、フィルタにかけられた変圧器インダクタンス電圧ｕＬＴＴＰを生成し、低域フィルタの特性を使用して、電源システム電圧ｕＧをフィルタにかけることによって、フィルタにかけられた電源システム電圧ｕＧＴＰを生成する。フィルタにかけられた電源システム電流ｉＧＴＰを、電源システム電流の公称値ｉＧｒｅｆで調整することによって、調整器電圧ｕＲを生成して、調整器電圧ｕＲと、フィルタにかけられた変圧器インダクタンス電圧ｕＬＴＴＰと、フィルタにかけられた電源システム電圧ｕＧＴＰとを加算することによって、調整信号ＳＲを生成する。これらの手段によって、基本周波数よりも高い電源システム電圧ｕＧにおける振動を減衰させ、従って、効果的に低減させる。特に、電源システム電圧ｕＧの基本周波数で回転するシステムを用いて、低域フィルタの特性を使用して、上述のフィルタにかけるプロセスを行なうと、このシステムにおいて、電源システム電圧ｕＧの基本振動が、一定の成分として現れる。その結果、本発明に一致した方法を用いて、低域フィルタの特性を使用してフィルタにかけるプロセスによって、都合の良いことに、電源システム電圧ｕＧの基本周波数は影響を受けないが、都合の良いことに、基本周波数よりも高い電源システム電圧ｕＧにおける振動のみが減衰し、従って、効果的に低減する。更に、電源システム電圧ｕＧの基本周波数における振動を同様に含んでいる電源システム電流ｉＧを、低域フィルタの特性を使用してフィルタにかける。次に、フィルタにかけられた電源システム電流ｉＧＴＰを、電源システム電流の公称値ｉＧｒｅｆで調整する。電源システム電流の公称値ｉＧｒｅｆは、電源システム電圧ｕＧの基本周波数のみを有していることが好ましい。この調整は、電源システム電圧ｕＧの基本周波数よりも高い振動が、調整に対して悪い影響を及ぼすことなく、既にフィルタにかけられた電源システム電流ｉＧＴＰのみを、この電源システム電流の公称値ｉＧｒｅｆで調整するはずである。フィルタにかけられた変圧器インダクタンス電圧ｕＬＴＴＰと、フィルタにかけられた電源システム電圧ｕＧＴＰとを、調整器電圧ｕＲに加えることは、フィルタにかけられた電源システム電流ｉＧＴＰを、電源システム電流の公称値ｉＧｒｅｆで調整することに対する、パイロット制御を表わし、従って、都合の良いことに、調整における負荷を著しく低減できる。
【００１４】
図５は、本発明に従って変換器回路の動作方法を使用した場合における、電気の三相ＡＣ電圧電源システムの電源システム電圧ｕＧの時間プロファイルを示しており、基本周波数よりも高い、電源システム電圧ｕＧの望ましくない振動を、かなり低減又は減衰したことを示している。
【００１５】
なお特に、この点において、フィルタにかけることは、変数のうちの１つ又は２つのみについて、上述の低域フィルタの特性を使用してフィルタにかけること、即ち、例えば、低域フィルタの特性を使用して、電源システム電流ｉＧのみをフィルタにかけること、又は、低域フィルタの特性を使用して、電源システム電流ｉＧ及び電源システム電圧ｕＧのみをフィルタにかけることも、可能であるだろう。更に、全ての変数を帯域消去フィルタにかけることが、上述のフィルタにかけることになること、或いは、変数のうちの１つ又は２つのみを帯域消去フィルタにかけることが、上述のフィルタにかけることになることも、可能であるだろう。最後に、低域フィルタの特性を使用してフィルタにかけることと、変数のうちの全てを帯域消去フィルタにかけることとの組み合わせが、上述のフィルタにかけることになること、或いは、変数のうちの２つのみを帯域消去フィルタにかけることとの組み合わせが、上述のフィルタにかけることになることも、可能であるだろう。即ち、例えば、低域フィルタの特性を使用して電源システム電圧ｕＧのみをフィルタにかけ、電源システム電流ｉＧのみを帯域消去フィルタにかけることが、可能であるだろう。
【００１６】
電源システム電流ｉＧと変圧器のインダクタンスＬＴとから、変圧器インダクタンス電圧ｕＬＴを計算することが好ましい。計算は、次の式を使用して行なわれる。
【００１７】
ｕＬＴ＝ｊωＬＴ・ｉＧ
低域フィルタの特性を使用してフィルタにかけるプロセスは、それぞれ、二次フィルタリングを用いて行なわれるので、都合の良いことに、基本周波数よりも高い、電源システム電圧ｕＧにおける望ましくない振動を非常によく減衰でき、従って、低減できる。
【００１８】
変換器ユニット２の入力インピーダンスＺが、電気エネルギを消費する電気負荷のインピーダンスに対応するように、低域フィルタの特性を使用したフィルタにかけるプロセスの伝達関数を選択することが好ましい。説明のために、図６は、変換器回路中の変換器ユニット２の入力インピーダンスＺの範囲を示している。入力インピーダンスＺは、電気エネルギを消費する電気負荷のインピーダンスに対応していて、斜線で示されている。このように、入力インピーダンスＺを選択すると、基本周波数よりも高い、電源システム電圧ｕＧにおける望ましくない振動の減衰、従って低減を、著しく高めることができる。
【００１９】
比例積分特性を使用して、既に記載したように、フィルタにかけられた電源システム電流ｉＧＴＰを、電源システム電流の公称値ｉＧｒｅｆで調整することが好ましい。その理由は、簡単に区別されるからである。しかしながら、その代わりに、速示特性を使用して、フィルタにかけられた電源システム電流ｉＧＴＰを、電源システム電流の公称値ｉＧｒｅｆで繰り返し調整することも可能であるだろう。しかしながら、任意の他の調整の特性を使用することも可能であるだろう。
【００２０】
図１に示されているように、当該方法を実行する装置は、調整装置４を有している。調整装置４は、調整信号ＳＲを生成するために使用され、制御信号ＳＡを生成する制御回路３を介して、変換器ユニットにおける制御可能な電力用半導体スイッチに接続されている。図４は、本発明に従って変換器回路の動作方法を実行する装置のための調整装置４の本発明に一致した実施形態を示している。本発明によると、図４に示されている調整装置４は、低域フィルタの特性を使用して、電源システム電流ｉＧをフィルタにかけることによって、フィルタにかけられた電源システム電流ｉＧＴＰを生成する第１のフィルタ６と、低域フィルタの特性を使用して、電源システム電流ｉＧから生成される変圧器インダクタンス電圧(ｕＬＴ)をフィルタにかけることによって、フィルタをかけられた変圧器インダクタンス電圧ｕＬＴＴＰを生成する第２のフィルタ７と、低域フィルタの特性を使用して、電源システム電圧ｕＧをフィルタにかけることによって、フィルタにかけられた電源システム電圧ｕＧＴＰを生成する第３のフィルタ８と、を有している。更に、調整装置４は、フィルタにかけられた電源システム電流ｉＧＴＰを、電源システム電流の公称値ｉＧｒｅｆで調整することによって、調整器電圧ｕＲを生成する調整器ユニット５を有しており、調整装置４は、調整器電圧ｕＲと、フィルタにかけられた変圧器インダクタンス電圧ｕＬＴＴＰと、フィルタにかけられた電源システム電圧ｕＧＴＰとを加算することによって、調整信号ＳＲを生成する加算器９を有している。
【００２１】
図４に示されているように、調整装置４は、電源システム電流ｉＧと、変圧器インダクタンスＬＴとから、変圧器インダクタンス電圧ｕＬＴを計算する計算ユニット１０を更に有している。この計算は、上述の式を使用して行なわれる。
【００２２】
第１、第２、第３のフィルタ６、７、８は、それぞれ、二次低域フィルタであることが好ましい。即ち、フィルタ６、７、８の各々が、低域フィルタの特性を使用して、それぞれの変数を二次フィルタにかける。更に、変換器ユニット２の入力インピーダンスＺが、電気エネルギを消費する電気負荷のインピーダンスに対応するように、第１、第２、第３のフィルタ６、７、８の伝達関数を選択する。これに関連して、図６の斜線領域を再び参照する。これは、変換器ユニット２の入力インピーダンスＺが、電気エネルギを消費する電気負荷のインピーダンスに対応する範囲を示している。
【００２３】
更に、調整器ユニット５は、比例積分特性を使用して、フィルタにかけられた電源システム電流ｉＧＴＰを、電源システム電流の公称値ｉＧｒｅｆで調整する。その代わりとして、速示特性を使用して、調整器ユニット５が、フィルタにかけられた電源システム電流ｉＧＴＰを、電源システム電流の公称値ｉＧｒｅｆで繰り返し調整することも可能である。
【００２４】
本発明によると、方法のステップの全ては、ソフトウェアとして実行することができる。従って、ソフトウェアを、例えば、コンピュータシステムにロードして、特に、ディジタル信号プロセッサを用いて実行することができる。更に、本発明に従って上述で詳しく説明した装置も、コンピュータシステム、特に、ディジタル信号プロセッサにおいて実施することができる。
【００２５】
全体として、変換器回路の複雑さが極めて低く、更に、少数のコンポーネントのみが構成に必要であるので、本発明に一致した変換器回路の動作方法を実行するための、特に図４に示されている、本発明に一致した装置が、非常に容易に低コストで実施できることを証明することができる。従って、この装置は、本発明による方法を特に容易に実行することができる。
【符号の説明】
【００２６】
１・・・電気のＡＣ電圧電源システム、２・・・変換器回路、３・・・制御回路、４・・・調整装置、５・・・調整器ユニット、６・・・第１のフィルタ、７・・・第２のフィルタ、８・・・第３のフィルタ、９・・・加算ユニット、１０・・・計算ユニット。
【図１】
0005551185.tif 000002
【図２】
0005551185.tif 000003
【図３】
0005551185.tif 000004
【図４】
0005551185.tif 000005
【図５】
0005551185.tif 000006
【図６】
0005551185.tif 000007